(57)【特許請求の範囲】
【請求項１】
複数のパルスヒットを積分処理した結果から軌道物体の位置を１プロットとして検出するレーダ装置であって、
前記複数のパルスヒットに対応した受信信号と送信信号との相関演算により、パルスヒットごとに前記受信信号の遅延時間波形を算出して前記軌道物体の観測値として出力する観測値出力部と、
前記軌道物体が他の物体の重力の影響を受けて前記他の物体の周囲を周回する運動モデルに基づいて、前記軌道物体の位置および速度ベクトルの仮説を複数生成する運動仮説生成部と、
前記運動仮説生成部で生成された複数の仮説をレーダから見た距離速度および距離加速度に変換し、前記距離速度に基づくレンジ方向のシフト量および前記距離加速度に基づいて遷移する距離変化量によって前記遅延時間波形を補正する運動量補償部と、
前記運動仮説生成部で生成された複数の仮説ごとに、前記運動量補償部で補正された前記遅延時間波形を前記複数のパルスヒットに対して積分し、その積分結果を前記遅延時間波形と前記仮説との整合性を示す第１の評価値とする積分処理部と、
前記第１の評価値に基づいて抽出した上位仮説の中から、さらに、前記運動仮説生成部で生成された複数の仮説から導かれる前記軌道物体の位置情報または速度情報または軌道要素が物理的事実を用いて理論的に求められる運動諸元に従うか否かを表す第２の評価値に基づいて上位仮説を抽出する仮説抽出部とを備え、
前記軌道物体の位置を１プロットとして検出する過程で前記軌道物体の速度ベクトルを得ることを特徴とするレーダ装置。
【請求項２】
第２の評価値は、前記複数の仮説のそれぞれで想定される前記軌道物体の位置情報の中央値と該位置情報との誤差、または前記複数の仮説のそれぞれで想定される前記軌道物体の該速度情報の中央値と該速度情報との誤差、または前記複数の仮説のそれぞれで想定される前記軌道物体の軌道要素の中央値と該軌道要素との誤差、またはそれぞれの誤差を正規化した正規化誤差であることを特徴とする請求項１に記載のレーダ装置。
【請求項３】
第２の評価値は、前記積分結果において最大振幅が存在するレンジセル番号と、前記複数の仮説から見積もることができるレンジセル番号との差であることを特徴とする請求項１に記載のレーダ装置。
【請求項４】
前記仮説抽出部は、低軌道高度を飛翔する物体を対象とする場合には、前記複数の仮説ごとに得られる離心率を前記第２の評価値とし、前記第２の評価値が０に近い仮説を抽出することを特徴とする請求項１に記載のレーダ装置。
【請求項５】
前記仮説抽出部は、低軌道高度を飛翔する物体を対象とする場合には、前記複数の仮説のそれぞれで想定される前記軌道物体の位置情報および速度情報ごとに前記軌道物体が一日で地球を周回する回数である平均運動を算出して推定平均運動とし、前記複数の仮説のそれぞれで想定される前記軌道物体の位置情報のうち高さを表すパラメータを前記軌道物体の飛翔高度とみなして求められる軌道上速度、または前記複数の仮説のそれぞれの速度ベクトルから求められる軌道上速度を用いて見積もられる平均運動を見積もり平均運動とし、前記推定平均運動と前記見積もり平均運動との差を前記第２の評価値とすることを特徴とする請求項１に記載のレーダ装置。
【発明の詳細な説明】
【技術分野】
【０００１】
本発明は、例えば、レーダセンサによって得られる受信信号に基づき物体の軌道要素を推定するレーダ装置に関するものである。
【背景技術】
【０００２】
レーダセンサによって得られる受信信号に基づき軌道物体の軌道要素を推定する従来のレーダ装置としては、例えば、非特許文献１、２に記載された構成がある。この従来のレーダ装置では、レーダセンサによって一定時間の観測を行い、軌道物体からの受信信号に対する信号処理および検出処理を行うことで、軌道物体の３次元位置であるプロットを抽出する。この観測を複数回行い、観測毎のプロットに対してカルマンフィルタ等を用いた時系列処理を行うことで観測中の軌道物体の位置と速度ベクトルを推定する。従来のレーダ装置は、推定された位置と速度ベクトル、および軌道物体に関する運動モデルに基づいて、観測中の軌道物体の軌道要素を推定する。
【先行技術文献】
【非特許文献】
【０００３】
【非特許文献１】Ｏｌｉｖｅｒ  Ｍｏｎｔｅｎｂｒｕｃｋ  ＆  Ｅｂｅｒｈａｒｄ  Ｇｉｌｌ，“Ｓａｔｅｌｌｉｔｅ  Ｏｒｂｉｔｓ，Ｍｏｄｅｌｓ，Ｍｅｔｈｏｄｓ  ａｎｄ  Ａｐｐｌｉｃａｔｉｏｎｓ，Ｓｐｒｉｎｇｅｒ，Ｃｏｒｒｅｃｔｅｄ  ２ｎｄ  Ｐｒｉｎｔｉｎｇ，２００１．
【非特許文献１】Ｘ．Ｒ．Ｌｉ  ａｎｄ Ｖ．Ｐ．Ｊｉｌｋｏｖ，“Ａ  Ｓｕｒｖｅｙ  ｏｆ  Ｍａｎｅｕｖｅｒｉｎｇ  Ｔａｒｇｅｔ  Ｔｒａｃｋｉｎｇ−Ｐａｒｔ  ＩＩ：Ｂａｌｌｉｓｔｉｃ  Ｔａｒｇｅｔ  Ｍｏｄｅｌｓ，”Ｐｒｏｃ．ｏｆ  ＳＰＩＥ  Ｃｏｎｆ．  Ｓｉｇｎａｌ  ａｎｄ  Ｄａｔａ  Ｐｒｏｃｅｓｓｉｎｇ  ｏｆ  Ｓｍａｌｌ  Ｔａｒｇｅｔｓ，Ｖｏｌｕｍｅ  ４４７３，ｐ．ｐ．５５９−５８１，Ｊｕｌｙ−Ａｕｇｕｓｔ  ２００１．
【発明の概要】
【発明が解決しようとする課題】
【０００４】
しかしながら、従来のレーダ装置では、軌道物体の軌道要素を推定するために、位置および速度ベクトルで構成された６次元のベクトルが必要となる。この６次元のベクトルを推定するために、物体からの電波の反射を受信することで取得される複数のプロットおよび追尾処理による速度ベクトルの推定が必要となる。そのため、従来のレーダ装置では、複数のプロットを推定するための観測時間を要する問題がある。【０００５】
また、同一の軌道物体を次の周回などで再び観測する場合には、観測中の軌道物体が過去に観測した軌道物体と同一か否かを判定する同定処理が必要となる。従来技術では、この同定処理にも複数のプロットおよび追尾処理による速度ベクトルの推定が必要となる問題がある。【０００６】
本発明はこのような課題を解決するためになされたもので、レーダセンサを用いて１プロットが検出されるのとほぼ同時に軌道要素を推定することができるレーダ装置を得ることを目的とする。
【課題を解決するための手段】
【０００７】
本発明に係るレーダ装置は、複数のパルスヒットを積分処理した結果から軌道物体の位置を１プロットとして検出するレーダ装置であって、複数のパルスヒットに対応した受信信号と送信信号との相関演算により、パルスヒットごとに受信信号の遅延時間波形を算出して軌道物体の観測値として出力する観測値出力部と、軌道物体が他の物体の重力の影響を受けて他の物体の周囲を周回する運動モデルに基づいて、軌道物体の位置および速度ベクトルの仮説を複数生成する運動仮説生成部と、運動仮説生成部で生成された複数の仮説をレーダから見た距離速度および距離加速度に変換し、距離速度に基づくレンジ方向のシフト量および距離加速度に基づいて遷移する距離変化量によって遅延時間波形を補正する運動量補償部と、運動仮説生成部で生成された複数の仮説ごとに、運動量補償部で補正された遅延時間波形を複数のパルスヒットに対して積分し、その積分結果を遅延時間波形と仮説との整合性を示す第１の評価値とする積分処理部と、第１の評価値に基づいて抽出した上位仮説の中から、さらに、運動仮説生成部で生成された複数の仮説から導かれる軌道物体の位置情報または速度情報または軌道要素が物理的事実を用いて理論的に求められる運動諸元に従うか否かを表す第２の評価値に基づいて上位仮説を抽出する仮説抽出部とを備え、軌道物体の位置を１プロットとして検出する過程で軌道物体の速度ベクトルを得ることを特徴とするものである
【発明の効果】
【０００８】
本発明に係るレーダ装置によれば、１プロットが検出されるのとほぼ同時に軌道要素を推定でき、従来技術と比較して短時間で軌道要素を推定できる。
【図面の簡単な説明】
【０００９】
【図１】本発明の実施の形態１におけるレーダ装置の構成の一例を示すブロック図である。
【図２】本発明の実施の形態１におけるレーダ装置の処理の流れを示すフローチャートである。
【図３】本発明の実施の形態１におけるレーダ装置において、運動仮説に基づいてレンジのシフト量を補正する概念を示す説明図である。
【図４】粒子フィルタの考えに基づく仮説生成方法の説明図である。
【図５】本発明の実施の形態１におけるレーダ装置のハードウェア構成例を示す図である。
【図６】本発明の実施の形態１におけるレーダ装置の他のハードウェア構成例を示す図である。
【発明を実施するための形態】
【００１０】
以下、本発明のレーダ装置の好適な実施の形態につき、図面を用いて説明する。
【００１１】
実施の形態１．
図１は、本発明の実施の形態１におけるレーダ装置１の構成の一例を示すブロック図である。図２は、本発明の実施の形態１におけるレーダ装置１の処理の流れを示すフローチャートである。図３は、本発明の実施の形態１におけるレーダ装置１において、軌道物体の三次元空間における運動を、レーダセンサによるパルスヒット毎のレンジおよびドップラに対するシフト量に変換する際の概念を示した説明図である。
【００１２】
図１に示す本発明の実施の形態１のレーダ装置１は、軌道物体の観測値の出力部である観測値出力部１２と、軌道物体の軌道パラメータの算出部であるパラメータ算出手段１１とを備える。観測値出力部１２は、受信部である信号受信手段１０と相関演算部である波形相関演算手段２０とを備える。パラメータ算出手段１１は、運動仮説生成部３０１、評価部３０、軌道要素推定手段４０、仮説抽出部５０を備える。さらに、評価部３０は、その内部に、運動量補償部３０２、ヒット方向信号積分処理部（単に積分処理部とも言う）３０３を有している。なお、以降の各図において同一の符号は、同一または相当部分を示す。また、軌道要素は軌道６要素と呼ばれる要素を表す。具体的には、軌道傾斜角、昇交点赤経、離心率、近地点引数、平均近点角、平均運動の６要素が軌道要素に相当する。
【００１３】
次に、各構成要素の機能について説明する。
【００１４】
レーダ装置１は、電波を照射してその反射波を受信するレーダセンサによる複数のパルスヒットに対する受信信号を積分し、軌道を移動する物体である軌道物体の３次元位置である１プロットを得る過程での処理を特徴とする。レーダセンサとしては一般的な技術を用いるため、レーダセンサの動作および機能に関する詳細な説明は省略する。
【００１５】
観測値出力部１２は、アンテナで受信された信号から軌道物体の観測値を求めて出力する。以下、その詳細を説明する。
【００１６】
アンテナは、軌道物体によって反射された電波を受信して信号受信手段１０に出力する。
【００１７】
信号受信手段１０は、既知のモジュール等によって構成され、アンテナから出力される信号を受信して復調し、受信信号として出力する。信号受信手段１０から出力される受信信号は、軌道物体を１プロットとして検出する過程で用いられる複数のパルスヒットに対応した受信信号であり、観測値出力部１２内の波形相関演算手段２０に対して出力される（ステップＳＴ１０００）。
【００１８】
波形相関演算手段２０は、信号受信手段１０からのレーダセンサによるパルスヒット毎の受信信号を入力し、送信信号との相関演算を行う。その結果、図３（ａ）に示すような相関信号がパルスヒット毎に、受信信号の遅延時間波形として得られる（ステップＳＴ２０００）。この受信信号の遅延時間波形が、軌道物体の観測値である。
【００１９】
パラメータ算出手段１１は、波形相関演算手段２０で求めた延時間波形を用いて、軌道物体の初期位置と初期速度ベクトル、および軌道物体の軌道パラメータである軌道要素を算出する。以下に、その詳細を説明する。
【００２０】
パラメータ算出手段１１内の運動仮説生成部３０１は、例えばレーダセンサによる観測範囲、観測する予定の軌道物体の軌道要素等の事前情報に基づき、軌道物体の運動仮説（以下では単に「仮説」とも言う）として三次元直交座標における軌道物体の位置および速度ベクトル（６次元）に関する初期値、すなわち、軌道物体の初期位置および初期速度ベクトルを設定する。この仮説は複数生成される。（ステップＳＴ３０１１）。
【００２１】
ステップＳＴ３０１１において設定する、三次元直交座標における軌道物体の位置および速度ベクトルに関する初期値は、想定範囲において総当りで設定してもよいし、粒子フィルタ的にランダムに生成してもよい。これは以降の実施の形態においても同様である。
【００２２】
次に、運動仮説生成部３０１は、ステップＳＴ３０１１において設定した三次元直交座標における軌道物体の位置および速度ベクトルに関する初期値と、軌道物体に関する運動モデルに基づき、レーダセンサによる1観測時間内のｍ回のパルスヒット分の時間に対する軌道物体の三次元空間内での運動（位置および速度ベクトル）を仮説毎に予測する（ステップＳＴ３０１２）。
【００２３】
ステップＳＴ３０１２における軌道物体に関する運動モデルとしては、例えば、非特許文献２などに示されている軌道物体に関する以下の式（１）に示す運動方程式に基づいたモデルを使用する。あるいは、式（１）以外の、軌道物体について定義された運動方程式に基づいたモデルを使用してもよい。
【００２４】
【数１】
0005987204.tif 000002
【００２５】
式（１）において、ｋ＝１，．．，ｍであり、各パルスヒットに対するサンプルを表す。また、μｅは、地心の重力定数である。Ｊ２は、重力ポテンシャルの第２次調和係数である。ｒｅは、地球の赤道半径である。
【００２６】
運動仮説生成部３０１は、ステップＳＴ３０１２において予測したレーダセンサによるｍ回のパルスヒット分の時間に対する軌道物体の三次元空間内での運動に関する情報を評価部３０内の運動量補償部３０２へ出力する。
【００２７】
パラメータ算出手段１１内の評価部３０は、運動仮説生成部３０１で生成された複数の運動仮説のそれぞれに対して、観測値出力部１２内の波形相関演算手段２０から出力される観測値との整合性を示す第１の評価値を算出する。具体的には、運動仮説生成部３０１で位置および速度の運動諸元を与えられた仮説が、運動補償部３０２へ出力される。運動補償部３０２は、距離、速度などの補償をパルスヒット毎に行い、ヒット方向信号積分処理部３０３へ出力される。ヒット方向信号積分処理部３０３は、距離、速度などの補償をした遅延時間波形をヒット方向に積分することで信号を積み上げる。この積み上げの結果が第１の評価値となる。
【００２８】
評価部３０内の運動量補償部３０２は、運動仮説生成部３０１より入力した、前記軌道物体のｍ回のパルスヒット分の時間に対する三次元直交座標における運動の予測情報を、レーダセンサから見た距離、距離速度および距離加速度に変換する（ステップＳＴ３０２１）。
【００２９】
前述した予測情報の三次元直交座標における運動から、レーダセンサから見た距離Ｒｋ、距離速度Ｒｋ（ドット）および距離加速度Ｒｋ（ダブルドット）への変換は、式（２）によって行われる。
【００３０】
【数２】
0005987204.tif 000003
【００３１】
式（２）において、ｓｘ，ｓｙ，ｓｚはレーダセンサの位置のｘ，ｙ，ｚ座標である。
また、ｘｋ（ダブルドット）、ｙｋ（ダブルドット）、ｚｋ（ダブルドット）は、式（１）中の加速度のｘ，ｙ，ｚ軸成分である。
【００３２】
次に、運動量補償部３０２は、ステップＳＴ３０２１においてレーダセンサから見た距離速度Ｒｋ（ドット）に変換した予測情報、および波形相関演算手段２０より入力した相互相関の結果である遅延時間波形に基づき、レンジセルのシフトを図３（ｂ）のような形で行い、観測時間内で変化した距離の補正をする（ステップＳＴ３０２２）。
【００３３】
このレンジセルのシフトの補正は、波形相関演算手段２０より入力した遅延時間波形の遅延時間に基づく距離から、ステップＳＴ３０２１において距離速度に変換した予測情報に基づくレンジセルのシフト量を差し引くことにより、式（３）のように行われる。
【００３４】
【数３】
0005987204.tif 000004
【００３５】
式（３）において、ｃは光速、δｔｋは波形相関演算手段２０より入力した遅延時間波形の遅延時間、Ｒｉ，ｋ（ドット）は運動仮説生成部３０１におけるｉ番目の仮説に基づく距離速度、Ｔはレーダセンサのパルス繰り返し周期、Ｒ´ｉ，ｋはｉ番目の仮説に基づくレンジセルのシフトの補正後の距離である。
【００３６】
さらに、運動量補償部３０２は、ステップＳＴ３０２１において距離加速度Ｒｋ（ダブルドット）に変換した予測情報に基づき、ｍ回のパルスヒットに対する距離加速度Ｒｋ（ダブルドット）によって遷移する距離変化量δＲｋを計算する（ステップＳＴ３０２３）。
【００３７】
前述した距離加速度Ｒｋ（ダブルドット）によって遷移する距離変化量δＲｋは、波形相関演算手段２０の出力である相関波形の位相に付加されており、これがドップラシフトの影響項であることから、距離加速度Ｒｋ（ダブルドット）によって遷移する距離変化量δＲｋの負号を付けた量をパルスヒット毎の位相補償量とする。
【００３８】
次に、評価部３０内のヒット方向信号積分処理部３０３は、運動仮説生成部３０１におけるｉ番目の仮説に基づいて補正されたｍ回のパルスヒット分のレンジセル毎に、運動補償部３０２によって計算した位相補償量をパルスヒット毎の相関波形に乗算し、ヒット方向にコヒーレント積分する（ステップＳＴ３０３０）。
【００３９】
軌道要素推定手段４０は、運動仮説毎の位置・速度ベクトルの初期値から既知の方法で軌道要素を算出する（ステップＳＴ４０００）
【００４０】
ここで、軌道要素は、軌道６要素と呼ばれる要素を表す。具体的には、軌道傾斜角、昇交点赤経、離心率、近地点引数、平均近点角、平均運動の６要素が軌道要素に相当する。なお、軌道要素推定部４０が、軌道傾斜角、昇交点赤経、離心率、近地点引数、平均近点角、平均運動の６要素のうちいずれか１つを算出する構成も本願に含まれる。
【００４１】
仮説抽出部５０は、ヒット方向信号積分処理部３０３の出力である信号積分結果と軌道要素推定手段４０の出力である軌道要素推定結果とを仮説毎に保持する。また、その信号積分結果と、軌道要素推定結果と、仮説毎の位置および速度ベクトルの初期値とを用いて、真の運動仮説に最も近い可能性が高い仮説を上位仮説として抽出する。抽出する仮説は１個でも複数個でもよい。運動仮説は位置および速度ベクトルの初期値を表すことから、抽出された上位仮説には真の運動に近い位置と速度ベクトルが得られている。抽出された上位仮説は、推定結果として出力される。（ステップＳＴ３０４０）
【００４２】
なお、仮説抽出部５０（ステップＳＴ３０４０）で出力された上位仮説の位置と速度ベクトルを運動仮説生成部３０１に入力し、上位仮説を用いて、運動仮説を粒子フィルタ的にランダムに生成してもよい。
【００４３】
仮説抽出部５０が出力した上位仮説の位置および速度ベクトルを入力値として、運動仮説生成部３０１において、仮説の位置および速度ベクトルを粒子フィルタ的にランダムに生成する方法について、図４を参照して説明する。図４は、仮説抽出部５０から運動仮説生成部３０１の間で行われる、仮説の重みに基づいて仮説を生成する方法を説明する図である。
【００４４】
運動仮説生成部３０１において仮説の位置および速度ベクトルを粒子フィルタ的にランダムに生成する方法は、図４に示す操作１から操作３により構成される。図４は、真の運動諸元（初期位置および初期速度）ＳＲと、仮説初期値の運動諸元Ｓ０と、生成される仮説の運動諸元Ｓ１〜Ｓ８を、模式的に示したものである。各操作を手順どおりに説明する。
【００４５】
操作１：運動仮説生成部３０１における初期の仮説生成を示す。図中に黒い三角で示す、仮説の初期値Ｓ０の周りにランダムに仮説を生成する。
操作２：仮説抽出部５０において尤度を与えられた仮説を図中に黒丸で示す。黒丸の位置は各仮説の運動諸元を示し、黒丸の大きさは仮説に与えられた尤度を示す。操作２では、運動仮説生成部３０１で生成した仮説をヒット方向信号積分処理部３０３に入力し、コヒーレント積分を行い、その積分結果から求められる仮説の重みを計算する。例えば、信号最大振幅または信号対雑音比を仮説の重みとして用いても良いし、それ以外の値を重みとして用いても良い。
操作３：運動仮説生成部３０１において仮説を再び生成した状態を示す。操作３では、仮説抽出部５０に仮説毎の位置および速度ベクトルと重みを入力し、重みの小さい仮説を棄却し、重みの大きい仮説を選択し位置および速度ベクトルを上位仮説として運動仮説生成部３０１に入力する。また、仮説抽出部５０に入力するのは位置および速度ベクトルのみでも良く、重みを仮説抽出部５０にて算出し、仮説に付加してもよい。
【００４６】
操作２と操作３を繰りかえすことで、生成する仮説の位置および速度ベクトルを真の運動（位置および速度ベクトル）に近づけて、上位仮説の推定精度を向上させることができる。この操作で用いられる仮説の重みは、積分結果から求められる信号最大振幅または信号対雑音比以外の値でも良い。
【００４７】
仮説抽出部５０における上位仮説の抽出方法としては、例えば、運動仮説毎に保持された信号積分結果において、その振幅、または信号対雑音比が上位のものを上位仮説として抽出する。この処理をＳＮ（Ｓｉｇｎａｌ  ｔｏ  Ｎｏｉｓｅ  Ｒａｔｉｏ）評価と呼ぶ。
【００４８】
本実施の形態の仮説抽出部５０では、信号対雑音比もしくは信号最大振幅などの指標（第一の評価値）を用いて抽出した上位仮説の中から、さらに、異なる指標（第二の評価値）を用いて上位仮説を抽出する。このように、多次元（複数）の評価値で仮説を抽出することで、１次元（１つ）の評価値を用いて抽出する場合と比較して、より真の運動周辺の仮説のみを選ぶことができるため、推定精度が向上する。
【００４９】
ここで、仮説抽出部５０にて用いられる多次元の評価値とその評価値を用いた仮説抽出方法について説明する。つまり、信号対雑音比もしくは信号最大振幅などの第一の評価値とは異なる第二の評価値を用いた上位仮説の抽出方法について説明する。
【００５０】
仮説抽出部５０（ステップＳＴ３０４０）における上位仮説の抽出方法として、例えば、ヒット方向信号積分処理部３０３で出力された信号積分結果から、最大振幅が存在するレンジセル番号と、運動仮説毎に与えられた位置および速度ベクトルから見積もることができるレンジセル番号とを照合し、それらの差が小さいものを上位仮説として抽出する。
【００５１】
レンジセルは、レーダと軌道物体との距離を示す値である。仮説の位置および速度ベクトルから見積もられる理論的なレンジセル番号と、ヒット方向信号積分処理部３０３で受信信号を仮説で補正して積分した結果から求められるレンジセル番号との差は、仮説の距離（位置）誤差とみなすことができる。真値に近い位置（距離）の仮説の場合、理論的に見積もられるレンジセル番号と、信号の積分結果から求められるレンジセル番号の差は小さくなる。このことから、理論的なレンジセル番号と信号の積分結果から求められるレンジセル番号の差が小さい仮説を選択することで、仮説の位置（距離）の推定精度を向上できる。
【００５２】
他の上位仮説抽出の方法として、運動仮説毎に得られる物理量および推定される物理量を用いて仮説抽出をする。例えば、運動仮説生成部３０１で仮説毎に与えられる位置および速度ベクトルや軌道要素推定手段４０で算出される軌道要素を用いて仮説の選択を行い、最終的に上位仮説を選ぶ方法である。
【００５３】
また、他の抽出方式として、既知の軌道の様な軌道要素等の事前情報を用いず、未知の軌道に対しても仮説を選ぶことを想定し、位置および速度および軌道要素の選択を行うことも可能である。
【００５４】
具体的には、まず、選択したい仮説を「位置および速度および軌道要素の推定精度が最も良い仮説」とする。推定精度が最も良い仮説とは、「位置および速度および軌道要素の推定値と真値の差が小さい仮説」である。しかし、真の軌道情報を知らずに「位置および速度および軌道要素の推定値と真値の差が小さい仮説」を選択することは困難である。そこで、真値の代わりに真値に近い値を基準値として設けて仮説の評価を行い、上位仮説を選択する。
【００５５】
さらに別の抽出方式について説明する。ヒット方向信号積分処理部３０３の出力値である信号振幅および信号対雑音比（以下、ＳＮ比）は、仮説に基づいた運動補償を行い積分した結果であるため、真の運動諸元に近い仮説（位置および速度ベクトル）で補償するほど、積分結果である信号振幅およびＳＮ比は大きい値となる。しかし、真の運動諸元に近い複数の仮説においては信号振幅およびＳＮ比にほとんど差がないため、積分結果のみを用いて、最も真の運動諸元に近い仮説を選択することは難しい。
【００５６】
そこで、「ＳＮ比の分布は真の運動諸元に近い仮説で高くなること」と、「ＳＮ比が高い仮説は真値をほぼ中心とした分布であること」から、ＳＮ評価後に残った仮説の推定要素の中央値を基準値として、「位置および速度および軌道要素の推定値と中央値の差が小さい仮説」を選ぶ。ここで、中央値の他に平均値などの代表値を用いてもよい。また、推定要素とは位置３軸および速度３軸および軌道要素６要素のことを指す。
【００５７】
推定要素毎の中央値とは、仮説の位置および速度と軌道要素推定手段４０で算出される軌道要素の推定値を値の小さい順に並び換えた場合に、中央に位置する値のことである。例えば、１００仮説の位置Ｘの中央値は、位置Ｘの１００個の推定値を小さい順に並び替えた時の中央に位置する値である。また、中央値をとる対象仮説はＳＮおよびその他の指標による評価後に選択された仮説でも、運動仮説生成部３０１で生成された全ての仮説でも良い。
【００５８】
仮説抽出部５０は、仮説毎の位置および速度および軌道要素の推定値と各推定要素に与えられる中央値との差を算出して保持し、各推定要素間で比較をする。また、全ての推定要素において「中央値との差が満遍なく小さい仮説」を上位仮説として抽出する。
【００５９】
以下、「中央値と推定値の差が満遍なく小さい仮説」について説明（定義）する。各推定要素、つまり、位置の３諸元（ｘ，ｙ，ｚ）および速度の３諸元（ｘｙｚ方向の速度成分であるｖｘ，ｖｙ，ｖｚ)および軌道要素の６諸元の単位が異なるため、推定値と中央値との差をそのまま加算等の処理をして比較することは難しい。そこで、推定値と中央値との差を正規化した値を正規化誤差と名付け、比較に用いる。
【００６０】
１つの仮説における１つの諸元の正規化誤差は例えば以下の式で算出される。
【００６１】
【数４】
0005987204.tif 000005
【００６２】
式（４）のＰｉは仮説毎の１つの諸元の推定値を表す。ｉはｉ＝１，…，Ｎである仮説番号を示す。Ｎは仮説の数を表し、ＳＮ評価後に残存する仮説数でも良いし、運動生成処理部３０１で生成された全仮説数でも良い。
【００６３】
正規化誤差の式の分母は、中央値と推定値の誤差ＲＭＳ（平均二乗誤差、ｒｏｏｔ  ｍｅａｎ  ｓｑｕａｒｅ）以外でもよい。また分子は、中央値と推定値の差の絶対値でなく、符号付きの差でもよい。
【００６４】
正規化誤差を用いて仮説を選択する際に、「推定要素（諸元）間で正規化誤差の分散が小さい」仮説且つ「全ての推定要素（諸元）で正規化誤差の値が小さい」仮説を選ぶ。この仮説が「中央値と推定値の差が満遍なく小さい仮説」である。正規化誤差を用いた選択方法として、正規化誤差の分散が小さく、且つ正規化誤差の総和が小さい仮説を上位仮説として選択する。ここで、正規化誤差の比較に用いる推定要素は、位置および速度および軌道要素の全てまたは一部でも良い。
【００６５】
上述のように、ＳＮ比評価後の推定要素毎の中央値を基準とすることで、より真の運動諸元に近い仮説を選択することができる。この方法は、既知軌道のように事前情報に基づいて初期仮説を真値に近い値に設定できる場合だけではなく、事前情報がなく初期仮説が真値に近い値でないような未知軌道に対しても用いることができる方法である。
【００６６】
また、仮説抽出部５０における、運動仮説毎に得られる物理量（位置、速度）および推定される物理量（軌道要素）を用いた仮説抽出方法として、軌道要素を用いた仮説選択方式を用いてもよい。
【００６７】
例えば、軌道要素のうち離心率を用いた仮説選択の方法の場合を説明する。本発明において、観測する目標が低軌道な高度（例えば「約１００ｋｍ〜２０００ｋｍ」の範囲内にある高度）を飛翔する物体であることと、低軌道高度を飛翔する物体の離心率がほぼ円軌道に近いことから、離心率が０に近い仮説ほど真の軌道に近い値であると判断する。
【００６８】
このことから、軌道要素推定手段４０にて出力された仮説毎の離心率を重みとする。仮説の離心率が０に近いほど大きい重みとして、離心率が小さくなる仮説が上位仮説として選択される。また、このとき、粒子フィルタの考え方を用いて、上位仮説に与えられた離心率による重みを、運動仮説生成部３０１で仮説生成をする際に尤度として用いて、生成する粒子数および仮説を生成する範囲を決めても良い。
【００６９】
さらに、仮説抽出部５０における、運動仮説毎に得られる物理量（位置、速度）および推定される物理量（軌道要素）を用いた仮説抽出方法について説明する。仮説毎の位置および速度から物理的に計算された軌道要素と、軌道要素推定手段４０で算出された軌道要素（既知の方法で算出した軌道要素（前述、段落［００３９］））とを比較し、相違が大きい仮説を棄却することで、物理法則を無視した仮説を排除する方法を用いて上位仮説を抽出してもよい。
【００７０】
例えば、観測する目標が低軌道高度を飛翔する物体であることから、物体の軌道上の速度は第一宇宙速度に近い値であることに着目して仮説を選択する方法がある。運動仮説生成部で与えられる位置ベクトルは３次元直交座標であることから、位置Ｚは軌道物体の飛翔高度とみなせる。そこで、仮説の初期位置Ｚの値から求められる第一宇宙速度（軌道上速度）と、仮説の初期速度から求められる軌道上速度とを用いて平均運動を見積もる。仮説の初期位置Ｚから求められる第一宇宙速度は、以下の物理法則の式より算出される。
【００７１】
【数５】
0005987204.tif 000006
【００７２】
式（５）において、Ｖｅｓｃは第一宇宙速度、Ｇは万有引力定数、Ｍは地球質量、Ｒｅは地球半径、Ｚは仮説の初期位置Ｚで高度を表すパラメータである。
【００７３】
また、仮説の初期速度から求められる物体の軌道上速度は以下の式により算出される。
【００７４】
【数６】
0005987204.tif 000007
【００７５】
式（６）においてＶｏｒｂは物体の軌道上速度、Ｖｘ，Ｖｙ，Ｖｚは仮説の初期速度ベクトルである。
【００７６】
ＶｅｓｃまたはＶｏｒｂを用いて平均運動の見積もりを行う。平均運動とは、軌道物体が一日で地球を周回する回数のことである。平均運動は以下の式より算出される。
【００７７】
【数７】
0005987204.tif 000008
【００７８】
式（７）においてｎは平均運動を示す。仮説に与えられた物理量（位置、速度）を用いて式（５）または式（６）により見積もられた速度を見積もり速度とし、式(７)に従って見積もり平均運動とする。
【００７９】
軌道要素推定手段４０にて算出された平均運動（推定平均運動とする）と式（７）で得られた見積もり平均運動を照合し、見積もり平均運動から大きく外れた推定平均運動を棄却し、見積もり平均運動により近い値の推定平均運動を持つ仮説を選択する。
【００８０】
例えば、「低軌道衛星は円軌道とみなせるため、離心率は０に近い」、「軌道上速度は第一宇宙速度に近い値をとる」等の物理的事実を用いて、理論的に求められる運動諸元（例えば軌道上速度、離心率や平均運動）と仮説の位置および速度ベクトルまたはそれを用いて推定された運動諸元を照合し、物理法則に従わない仮説を棄却することで、実際の軌道物体の運動に即した運動諸元（位置および速度および軌道要素）の推定が可能となる。その結果、１観測における軌道物体の位置および速度および軌道要素の推定精度が向上する。
【００８１】
仮説抽出部５０における抽出方法として、ヒット方向信号積分処理部３０３の積分結果から求められる信号振幅または信号対雑音比や、仮説の位置および速度から見積もられるレンジセルや、中央値による仮説選択方法や仮説毎の軌道要素による仮説選択方法を挙げた。これらの指標全て、または一部を組み合わせて仮説を抽出し上位仮説を選んでもよい。
【００８２】
ステップＳＴ３０４０（上位仮説抽出）において生成された上位仮説のうち、最も尤度の高い仮説の尤度が閾値を超えたら、その仮説を算出した運動諸元、軌道要素の推定値を本装置の最終結果として出力する。超えなかったら、上位仮説の持つ初期値の近辺に初期値を持つ仮説を再生成し、ステップＳＴ３０１１（初期値設定）に戻って以降の処理を繰り返す。この尤度の閾値は、事前設定のパラメータとする。
【００８３】
また、ステップＳＴ３０１１（初期値設定）からステップＳＴ３０４０（上位仮説抽出）までを指定回数繰り返し、その後、ステップＳＴ３０４０（上位仮説生成）において生成された上位仮説のうち、最も尤度の高い仮説の算出した運動諸元、軌道要素の推定値を本装置の最終結果として出力してもよい。
【００８４】
また、ステップＳＴ３０４０（上位仮説抽出）において生成された上位仮説のうち、最も尤度の高い仮説の算出した運動諸元、軌道要素の推定値を本装置の最終結果として出力してもよい。
【００８５】
以上のように、本実施の形態のレーダ装置１は、軌道物体の観測値を出力する観測値出力部１２と、軌道物体の複数の運動仮説を生成する運動仮説生成部３０１と、運動仮説生成部３０１で生成された複数の運動仮説のそれぞれに対して、観測値出力部１２から出力される観測値との整合性を示す第１の評価値を算出する評価部３０と、評価部３０で算出された第１の評価値と複数の運動仮説から導かれる第２の評価値とに基づき、複数の運動仮説の中の一部の運動仮説を抽出する仮説抽出部５０とを備える。
【００８６】
第２の評価値は、複数の運動仮説のそれぞれで想定される軌道物体の位置情報または速度情報または軌道要素、または位置情報の中央値と位置情報との誤差、または速度情報の中央値と速度情報との誤差、または軌道情報の中央値と軌道情報との誤差としてもよい。
【００８７】
また、運動仮説生成部３０１は、仮説抽出部５０で抽出された一部の運動仮説に基づき、軌道物体の運動仮説を再生成する。
【００８８】
さらに、観測結果出力部１２は、軌道物体の位置を検出する過程で用いられる複数のパルスヒットに対応した信号を受信する信号受信手段１０と、信号受信手段１０で受信された複数のパルスヒットに対応した信号と送信パルスとの相関演算により信号の遅延時間波形をパルスヒットごとに算出する波形相関演算部２０とを備え、評価部３０は、運動仮説生成部３０１で生成された運動仮説に基づいて、波形相関演算部２０で算出された信号の遅延時間波形を補正し、位相補償量として出力する運動量補償部３０２と、運動量補償部３０２から出力される位相補償量を複数のパルスヒットに対して積分し、その積分結果を評価値とするヒット方向信号積分処理部３０３とを備える。なお、複数のパルスヒットは、軌道物体の位置を１プロットとして検出する過程で用いられる。
【００８９】
次に、レーダ装置１のハードウェア構成について説明する。
【００９０】
図５は実施の形態１に係るレーダ装置１のハードウェア構成例を示す図である。図６は実施の形態１に係るレーダ装置１の他のハードウェア構成例を示す図である。
【００９１】
レーダ装置１における、信号受信手段１０、波形相関演算手段２０、運動仮説生成部３０１、運動量補償部３０２、ヒット方向信号積分処理部３０３、軌道要素推定手段４０、仮説抽出部５０の各機能は、処理回路（Ｐｒｏｃｅｓｓｉｎｇ  Ｃｉｒｃｕｉｔｒｙ）６０により実現される。
【００９２】
処理回路６０は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサー、ＤＳＰともいう）であってもよい。
【００９３】
図５は、処理回路が専用のハードウェアである場合の構成を示す。処理回路６０は、例えば、単一回路（ａ  ｓｉｎｇｌｅ  ｃｉｒｃｕｉｔ）、複合回路（ｍｕｌｔｉｐｌｅ  ｃｉｒｃｕｉｔｓ）、プログラム化したプロセッサー（ａ  ｐｒｏｇｒａｍｍｅｄ  ｐｒｏｃｅｓｓｏｒ）、並列プログラム化したプロセッサー（ｍｕｌｔｉｐｌｅ  ｐｒｏｇｒａｍｍｅｄ  ｐｒｏｃｅｓｓｏｒｓ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。信号受信手段１０、波形相関演算手段２０、運動仮説生成部３０１、運動量補償部３０２、ヒット方向信号積分処理部３０３、軌道要素推定手段４０、仮説抽出部５０の各部の機能をそれぞれの処理回路で実現してもよいし、各部の機能をまとめて処理回路で実現してもよい。
【００９４】
処理回路６０がＣＰＵの場合、レーダ装置１は、図６に示すように、処理回路６０とメモリ７０とを備える。信号受信手段１０、波形相関演算手段２０、運動仮説生成部３０１、運動量補償部３０２、ヒット方向信号積分処理部３０３、軌道要素推定手段４０、仮説抽出部５０の機能は、ソフトウェア、ファームウェア、またはソフトウェアとファームウェアとの組み合わせにより実現される。ソフトウェアやファームウェアはプログラムとして記述され、メモリに格納される。処理回路は、メモリに記憶されたプログラムを読み出して実行することにより、各部の機能を実現する。
【００９５】
ここで、メモリとは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００９６】
このように、処理回路は、ハードウェア、ソフトウェア、ファームウェアによって、上述の各機能を実現することができる。
【００９７】
このように、実施の形態１によれば、レーダセンサによる１観測時間内のｍ回のパルスヒットの受信信号に対して、軌道物体の運動を仮定した運動モデルに基づくレンジ方向およびドップラ方向のシフトを補正した信号積分処理を行い、かかる信号積分処理の結果として軌道物体の位置が算出されると共に、かかる信号積分処理において軌道物体の運動を仮定した運動モデルによって補正されたレンジ方向およびドップラ方向のシフトに基づいて軌道物体の速度ベクトルが算出されることにより、ｍ回のパルスヒットの受信信号に対する積分処理の結果であるプロットを検出する過程で、軌道物体の位置および速度ベクトルを推定している。
【００９８】
そして、かかる推定された位置および速度ベクトルに基づき、軌道物体の軌道要素を推定している。
【００９９】
この結果、レーダセンサによる一定時間の観測で得られた複数のプロットに対する追尾処理を行うことを必要とせず、プロットを１個検出する過程で、軌道物体の軌道要素を推定することができる。
【０１００】
さらに、この実施の形態１によれば、仮説抽出部５０は、仮説毎に運動情報(位置、速度)より計算した中央値あるいは軌道要素により仮説を選択するので、妥当な位置、速度、軌道要素を有する仮説を選択できる。結果として、位置、速度、軌道要素を精度良く推定できる。
【０１０１】
つまり、実施の形態１によれば、軌道物体の観測値から軌道物体の位置情報等を高精度に推定するため、複数の運動仮説を生成し、その複数の運動仮説のそれぞれに対して観測値との整合性を示す第１の評価値を算出するとともに、第１の評価値と複数の運動仮説のそれぞれに対して導かれる軌道物体の位置情報、速度情報、軌道情報等を示す第２の評価値に基づき、複数の運動仮説の中から適した運動仮説を抽出する。第１の評価値のみならず、軌道物体の位置情報、速度情報、軌道情報等を示す第２の評価値を用いて仮説を抽出することにより、軌道物体の観測値と整合性の高い運動仮説を抽出することができ、軌道物体の位置情報等を高精度に推定することができる。
【符号の説明】
【０１０２】
１  レーダ装置、１０  信号受信手段、１１  パラメータ算出手段、１２  観測値出力部、２０  波形相関演算手段、３０  評価部、４０  軌道要素推定手段、５０  仮説抽出部、６０  処理回路、７０  メモリ、３０１  運動仮説生成部、３０２  運動量補償部、３０３  ヒット方向信号積分処理部。
【要約】
従来のレーダ装置では、観測中の軌道物体の３次元位置であるプロットを複数抽出し、カルマンフィルタ等を用いた時系列処理を行うことで軌道物体の位置と速度ベクトルを推定する。しかし、軌道物体の軌道要素を推定するためには複数のプロットを推定する必要があり、時間を要する課題があった。本発明では、信号受信手段（１０）で受信され、軌道物体の位置を１つのプロットとして検出する際に用いられる複数のパルスヒットに対応する受信信号と、運動仮説生成部（３０１）で生成される軌道物体の運動仮説に基づいて算出された複数のパルスヒットに対応する運動量との整合性に基づいて、軌道物体の運動仮説を仮説抽出部（５０）で推定することで、１つのプロットが検出されるのとほぼ同時に軌道物体の軌道要素を推定する。【図１】
0005987204.tif 000009
【図２】
0005987204.tif 000010
【図３】
0005987204.tif 000011
【図４】
0005987204.tif 000012
【図５】
0005987204.tif 000013
【図６】
0005987204.tif 000014